(57)【要約】  ピクセル配列構造、表示基板及び表示装置に関する。該ピクセル配列構造は、複数のピクセルグループ（０１）を備え、各ピクセルグループ（０１）は、第１サブピクセル（１１１）、第２サブピクセル（１１２）、第３サブピクセル（１１３）、及び第４サブピクセル（１１４）を含み、ピクセルグループ（０１）において、第２サブピクセル（１１２）の中心（Ｃ２）と第３サブピクセル（１１３）の中心（Ｃ３）の連結線は第１線分（ＬＳ１）であり、第１サブピクセル（１１１）と第４サブピクセル（１１４）は、第２サブピクセル（１１２）と第３サブピクセル（１１３）との間に位置し、それぞれ第１線分（ＬＳ１）の両側に設けられ、第１サブピクセル（１１１）の中心（Ｃ１）と第４サブピクセル（１１４）の中心（Ｃ４）の連結線は、長さが前記第１線分（ＬＳ１）の長さよりも小さい第２線分（ＬＳ２）である。それにより、該ピクセル配列構造は、解像度を高め、さらに表示品質を向上させることができる。
2021513670.tif 000002
【特許請求の範囲】
【請求項１】
複数のピクセルグループを備えたピクセル配列構造であって、
各ピクセルグループは、第１サブピクセル、第２サブピクセル、第３サブピクセル、及び第４サブピクセルを含み、
前記ピクセルグループにおいて、前記第２サブピクセルの中心と前記第３サブピクセルの中心の連結線は第１線分であり、前記第１サブピクセルと前記第４サブピクセルは、前記第２サブピクセルと前記第３サブピクセルとの間に位置して、それぞれ前記第１線分の両側に設けられ、
前記第１サブピクセルの中心と前記第４サブピクセルの中心との連結線は第２線分であり、該第２線分の長さが前記第１線分の長さよりも小さいことを特徴とする、ピクセル配列構造。
【請求項２】
前記第２線分と前記第１線分の長さの比が３／４以下であることを特徴とする、請求項１に記載のピクセル配列構造。
【請求項３】
前記第２線分と前記第１線分は互いに垂直に二等分することを特徴とする、請求項１又は２に記載のピクセル配列構造。
【請求項４】
前記第２線分と前記第１線分の長さの比が、３／８以上であることを特徴とする、請求項１〜３のいずれか１項に記載のピクセル配列構造。
【請求項５】
前記ピクセルグループにおいて、前記第１サブピクセルと前記第４サブピクセルはいずれも長尺状であり、前記第１サブピクセルの延設方向は前記第４サブピクセルの延設方向と重ならないことを特徴とする、請求項１〜４のいずれか１項に記載のピクセル配列構造。
【請求項６】
前記第１サブピクセルの延設方向と前記第４サブピクセルの延設方向との夾角が７０°〜１００°であることを特徴とする、請求項５に記載のピクセル配列構造。
【請求項７】
前記第１サブピクセルと前記第４サブピクセルは、前記第１線分に対して対称的に配列され、及び／又は、前記第２サブピクセルと前記第３サブピクセルは、前記第２線分に対して対称的に配列されていることを特徴とする、請求項５に記載のピクセル配列構造。
【請求項８】
前記第１線分は第１方向に延設され、前記第２線分は第２方向に延設され、
前記複数のピクセルグループはアレイ状に配列されて、複数の行と複数の列を形成し、偶数行のピクセルグループと奇数行のピクセルグループがずらして配置され、
前記第１方向の隣接する２つのピクセルグループにおける隣接する第２サブピクセルと第３サブピクセルの中心連結線の長さが、前記第１線分の長さよりも小さく、
隣接する奇数行又は隣接する偶数行において、前記第２方向の隣接する２つのピクセルグループにおける隣接する第１サブピクセルと第４サブピクセルの中心連結線の長さが、前記第２線分の長さよりも大きいことを特徴とする、請求項１〜７のいずれか１項に記載のピクセル配列構造。
【請求項９】
前記第１方向の隣接する２つのピクセルグループにおける隣接する第２サブピクセルと第３サブピクセルの中心連結線の長さは、前記第１線分との比が、１／２以下であり、及び／又は、
隣接する奇数行又は隣接する偶数行において、前記第２方向の隣接する２つのピクセルグループにおける隣接する第１サブピクセルと第４サブピクセルの中心連結線の長さは、前記第２線分の長さとの比が、１以上、３以下であることを特徴とする、請求項８に記載のピクセル配列構造。
【請求項１０】
各ピクセルグループの前記第２線分の延長線は、第２方向において該ピクセルグループに隣接し且つ同じ行にある２つのピクセルグループの中心連結線の中点を通ることを特徴とする、請求項８に記載のピクセル配列構造。
【請求項１１】
隣接する奇数行又は隣接する偶数行において、前記第２方向に配列された隣接する２つのピクセルグループにおける２つの第３サブピクセルの中心連結線と、該２つの第３サブピクセルの間に位置するピクセルグループにおける第１線分との交点は、該第１線分の中心と第２サブピクセルの中心との間に位置することを特徴とする、請求項１０に記載のピクセル配列構造。
【請求項１２】
同じピクセルグループにおいて、前記第２サブピクセルと前記第１サブピクセルとの間の最も近い距離はＬ１であり、前記第２サブピクセルと前記第４サブピクセルとの間の最も近い距離はＬ２であり、前記第３サブピクセルと前記第１サブピクセルとの間の最も近い距離はＬ３であり、前記第３サブピクセルと前記第４サブピクセルとの間の最も近い距離はＬ４であり、Ｌ１＝Ｌ２＝Ｌ３＝Ｌ４であることを特徴とする、請求項８に記載のピクセル配列構造。
【請求項１３】
前記第１サブピクセル又は前記第４サブピクセルは、前記第２方向においてそれに隣接し且つ同じ行に位置しないピクセルグループにおける第２サブピクセル及び第３サブピクセルとの最も近い距離は、それぞれＬ５及びＬ６であり、Ｌ５＝Ｌ６であることを特徴とする、請求項１２に記載のピクセル配列構造。
【請求項１４】
隣接するサブピクセルにおいて、各対向する辺はほぼ平行であり又は夾角が４５°より小さく、前記隣接するサブピクセルは、前記第１サブピクセル、第２サブピクセル、第３サブピクセル、及び第４サブピクセルのうちの任意の隣接する２つを含むことを特徴とする、請求項１２又は１３に記載のピクセル配列構造。
【請求項１５】
前記第１サブピクセルと前記第４サブピクセルは同じ色のサブピクセルであることを特徴とする、請求項１〜１４のいずれか１項に記載のピクセル配列構造。
【請求項１６】
表示基板であって、請求項１〜１５のいずれか１項に記載のピクセル配列構造を備える表示基板。
【請求項１７】
表示装置であって、請求項１６に記載の表示基板を備える表示装置。 
【発明の詳細な説明】
【技術分野】
【０００１】
本特許出願は、２０１８年２月９日に提出された中国特許出願第２０１８１０１３７０１６．５号の優先権を主張し、上記中国特許出願で開示される全内容は本開示の実施例の一部として援用されている。
【０００２】
本開示の実施例は、ピクセル配列構造、表示基板及び表示装置に関する。
【背景技術】
【０００３】
表示技術の継続的な発展に伴って、表示装置の解像度に対する要求がますます高まっている。表示品質が高い等の利点を有するため、高解像度表示装置の応用範囲もますます広がっている。通常、ピクセルのサイズ及びピクセル間の間隔を縮小することにより、表示装置の解像度を高めることができる。しかしながら、ピクセルのサイズ及びピクセル間の間隔の縮小は、製造プロセスにおいてますます高い精度を要求しており、そのため、表示装置の製造プロセスの難しさ及び製造コストの増加を引き起こす。
【０００４】
一方、サブピクセルレンダリング（Ｓｕｐ−Ｐｉｘｅｌ  Ｒｅｎｄｅｒｉｎｇ、ＳＰＲ）技術は、異なる色のサブピクセルに対する人間の目の解像度の違いを利用して、通常の赤、緑、青の３色のサブピクセルと異なり、１つのピクセルのモードを単純に定義し、特定の位置での解像度が鈍感である色のサブピクセルを異なるピクセルの間で共有することにより、比較的少ないサブピクセルを用いて、同じピクセル解像度のパフォーマンスをシミュレートして実現することができ、それにより、製造プロセスの難しさを低減させて、製造コストを削減させる。
【発明の概要】
【０００５】
本開示の実施例は、ピクセル配列構造、表示基板及び表示装置を提供する。該ピクセル配列構造は敏感な色のサブピクセルの間隔を調節することにより、敏感な色のサブピクセルの分布均一性を改善することができ、それにより、該ピクセル配列構造の視覚的な解像度を高めることができ、そして、該ピクセル配列構造の表示品質を向上させることができる。
【０００６】
本開示の少なくとも１つの実施例はピクセル配列構造を提供し、該ピクセル配列構造は、複数のピクセルグループを備え、各ピクセルグループは、第１サブピクセル、第２サブピクセル、第３サブピクセル、及び第４サブピクセルを含み、前記ピクセルグループにおいて、前記第２サブピクセルの中心と前記第３サブピクセルの中心の連結線は第１線分であり、前記第１サブピクセルと前記第４サブピクセルは、前記第２サブピクセルと前記第３サブピクセルとの間に位置して、それぞれ前記第１線分の両側に設けられ、前記第１サブピクセルの中心と前記第４サブピクセルの中心の連結線は、長さが前記第１線分の長さよりも小さい第２線分である。
【０００７】
たとえば、前記第２線分と前記第１線分の長さの比は３／４以下である。
【０００８】
たとえば、前記第２線分と前記第１線分は互いに垂直に二等分する。
【０００９】
たとえば、前記第２線分と前記第１線分の長さの比は、３／８以上である。
【００１０】
たとえば、前記ピクセルグループにおいて、前記第１サブピクセルと前記第４サブピクセルはいずれも長尺状であり、前記第１サブピクセルの延設方向は前記第４サブピクセルの延設方向と重ならない。
【００１１】
たとえば、前記第１サブピクセルの延設方向と前記第４サブピクセルの延設方向の夾角は７０°〜１００°である。
【００１２】
たとえば、前記第１サブピクセルと前記第４サブピクセルは、前記第１線分に対して対称的に配列され、及び／又は、前記第２サブピクセルと前記第３サブピクセルは、前記第２線分に対して対称的に配列される。
【００１３】
たとえば、前記第１線分は第１方向に延設され、前記第２線分は第２方向に延設され、前記複数のピクセルグループはアレイ状に配列されて、複数の行と複数の列を形成し、偶数行のピクセルグループと奇数行のピクセルグループがずらして配置され、前記第１方向の隣接する２つのピクセルグループにおける隣接する第２サブピクセルと第３サブピクセルの中心連結線の長さは、前記第１線分の長さよりも小さく、隣接する奇数行又は隣接する偶数行において、前記第２方向の隣接する２つのピクセルグループにおける隣接する第１サブピクセルと第４サブピクセルの中心連結線の長さは、前記第２線分の長さよりも大きい。
【００１４】
たとえば、前記第１方向の隣接する２つのピクセルグループにおける隣接する第２サブピクセルと第３サブピクセルの中心連結線の長さは、前記第１線分との比は、１／２以下であり、及び／又は、隣接する奇数行又は隣接する偶数行において、前記第２方向の隣接する２つのピクセルグループにおける隣接する第１サブピクセルと第４サブピクセルの中心連結線の長さは、前記第２線分の長さとの比は、１以上、３以下である。
【００１５】
たとえば、各ピクセルグループの前記第２線分の延長線は、第２方向において該ピクセルグループに隣接し且つ同じ行にある２つのピクセルグループの中心連結線の中点を通る。
【００１６】
たとえば、隣接する奇数行又は隣接する偶数行において、前記第２方向に配列された隣接する２つのピクセルグループにおける２つの第３サブピクセルの中心連結線と、該２つの第３サブピクセルの間に位置するピクセルグループにおける第１線分との交点は、該第１線分の中心と第２サブピクセルの中心との間に位置する。
【００１７】
たとえば、同じピクセルグループにおいて、前記第２サブピクセルと前記第１サブピクセルとの間の最も近い距離はＬ１であり、前記第２サブピクセルと前記第４サブピクセルとの間の最も近い距離はＬ２であり、前記第３サブピクセルと前記第１サブピクセルとの間の最も近い距離はＬ３であり、前記第３サブピクセルと前記第４サブピクセルとの間の最も近い距離はＬ４であり、Ｌ１＝Ｌ２＝Ｌ３＝Ｌ４である。
【００１８】
たとえば、前記第１サブピクセル又は前記第４サブピクセルは、前記第２方向においてそれに隣接し且つ同じ行に位置しないピクセルグループにおける第２サブピクセル及び第３サブピクセルとの最も近い距離は、それぞれＬ５及びＬ６であり、Ｌ５＝Ｌ６である。
【００１９】
たとえば、隣接するサブピクセルにおいて、各対向する辺はほぼ平行であり又は夾角が４５°より小さく、前記隣接するサブピクセルは、前記第１サブピクセル、第２サブピクセル、第３サブピクセル、及び第４サブピクセルのうちの任意の隣接する２つを含む。
【００２０】
たとえば、前記第１サブピクセルと前記第４サブピクセルは同じ色のサブピクセルである。
【００２１】
本開示の少なくとも１つの実施例は、本開示の少なくとも１つの実施例に係るピクセル配列構造を備える表示基板を提供する。
【００２２】
本開示の少なくとも１つの実施例は、本開示の少なくとも１つの実施例に係る表示基板を備える表示装置を提供する。
【図面の簡単な説明】
【００２３】
本開示の実施例の技術案をさらに明瞭に説明するために、以下、実施例の図面を簡単に説明し、明らかなように、以下で説明される図面は単に本開示のいくつかの実施例に関するが、本開示を限定するものではない。
【００２４】
【図１】図１はピクセル配列構造の模式図である。
【図２】図２は本開示の一実施例に係るピクセル配列構造の模式図である。
【図３Ａ】図３Ａは本開示の一実施例に係るピクセル配列構造の模式図である。
【図３Ｂ】図３Ｂは本開示の別の実施例に係るピクセル配列構造の模式図である。
【図３Ｃ】図３Ｃは本開示の別の実施例に係るピクセル配列構造の模式図である。
【図４】図４は本開示の一実施例に係るピクセル配列構造の模式図である。
【図５Ａ】図５Ａは本開示の別の実施例に係るピクセル配列構造の模式図である。
【図５Ｂ】図５Ｂは本開示の別の実施例に係るピクセル配列構造の模式図である。
【図６】図６は本開示の別の実施例に係るピクセル配列構造の模式図である。
【図７Ａ】図７Ａは本開示の別の実施例に係るピクセル配列構造の模式図である。
【図７Ｂ】図７Ｂは本開示の別の実施例に係るピクセル配列構造の模式図である。
【図８】図８は本開示の別の実施例に係る表示基板のピクセル配列構造及び駆動線とデータ線の模式図である。
【図９】図９は本開示の一実施例に係る表示基板の断面図である。
【発明を実施するための形態】
【００２５】
本開示の実施例の目的、技術案及び利点をさらに明瞭にするために、以下、本開示の実施例の図面を参照しながら、本開示の実施例の技術案を明確かつ完全に説明する。明らかなように、説明される実施例は本開示の一部の実施例であり、全ての実施例ではない。説明される本開示の実施例に基づいて、当業者が創造的な努力をせずに想到し得るほかの実施例は、すべて本開示の保護の範囲に属する。
【００２６】
特に断らない限り、本開示に使用される技術用語又は科学用語は当業者が理解する一般的な意味を有するべきである。本開示に使用される「第１」、「第２」及び類似する用語は順序、数量又は重要性を示すものではなく、単に異なる構成要素を区別する。「備える」又は「含む」等の類似する用語は、該用語の前にある素子又は物品が該用語の後に列挙される素子又は物品及びその同等のものをカバーするが、他の素子又は物品を除外しないという意味を有する。「接続」又は「連結」等の類似する用語は物理的又は機械的接続に限定されないが、直接及び間接を問わず電気的接続を含んでもよい。
【００２７】
図１はピクセル配列構造の模式図を示す。図１に示すように、該ピクセル配列は、典型的なｐｅｎｔｉｌｅ配列態様であり、１つの最小の繰り返し単位は２つの緑色サブピクセル０１１１、１つの赤色サブピクセル０１１２、及び１つの青色サブピクセル０１１３を含み、該ピクセル配列構造は均等に分布し、高ＰＰＩ（Ｐｉｘｅｌ  Ｐｅｒ  Ｉｎｃｈ）表示を実現しやすい。
【００２８】
本願の発明者は、図１に示されるピクセル配列構造において、最小の繰り返し単位における２つの緑色サブピクセル０１１１の距離が遠いことにより、視覚的な解像度を高めにくく、色滲み及び粒状感が発生しやすいことを見出した。通常、図１における最小の繰り返し単位において、２つの緑色サブピクセル０１１１の中心連結線ＬＳ０２は、該最小の繰り返し単位における赤色サブピクセル０１１２の中心と青色サブピクセル０１１３の中心との連結線ＬＳ０１の長さとは略同じである。
【００２９】
ＳＰＲ技術を採用しても、高解像度の製品の製造には、高ＰＰＩ（Ｐｉｘｅｌ  Ｐｅｒ  Ｉｎｃｈ）のサブピクセルのパターニングプロセスが必要であり、従って、依然として製造プロセスの精度によって制限されている。そのため、高解像度の製品の量産を容易にするために、ピクセル配列構造を改良し、製造プロセスの難しさを低減させる必要がある。
【００３０】
高解像度を有する表示装置を製造するために、ピクセルのサイズ及びピクセル間の間隔を減少する必要がある。しかしながら、ピクセルのサイズ及びピクセル間の間隔の縮小は、製造プロセスにおいてますます高い精度を要求しており、その結果、表示装置の製造プロセスの難しさ及び製造コストの増加を引き起こす。たとえば、高解像度を有するアクティブマトリックス有機発光ダイオード（Ａｃｔｉｖｅ  Ｍａｔｒｉｘ  Ｏｒｇａｎｉｃ  Ｌｉｇｈｔ−Ｅｍｉｔｔｉｎｇ  Ｄｉｏｄｅ、ＡＭＯＬＥＤ）表示装置を製造するとき、ファインメタルマスク（Ｆｉｎｅ  Ｍｅｔａｌ  Ｍａｓｋ、ＦＭＭ）技術のプロセス精度による制限のため、高解像度（たとえば、３００画素密度（ＰＰＩ）よりも大きいい）を有するアクティブマトリックス有機発光ダイオード（ＡＭＯＬＥＤ）表示装置の製造プロセスの難しさが大きく、製造コストが高い。ピクセル配列の良否は、表示効果に対して大きな影響を与え、優れたピクセル配列は画面の表示品質を向上させ、開口率を高め、混色を低減させ、プロセスの難しさを低減させることができる。
【００３１】
図２に示すように、本開示の少なくとも１つの実施例は、複数のピクセルグループ０１を備えるピクセル配列構造を提供する。各ピクセルグループ０１は、第１サブピクセル１１１、第２サブピクセル１１２、第３サブピクセル１１３、及び第４サブピクセル１１４を含む。ピクセルグループ０１において、第２サブピクセル１１２の中心Ｃ２と第３サブピクセル１１３の中心Ｃ３の連結線は第１線分ＬＳ１であり、第１サブピクセル１１１と第４サブピクセル１１４は、第２サブピクセル１１２と第３サブピクセル１１３との間に位置して、それぞれ第１線分ＬＳ１の両側に設けられる。第１サブピクセル１１１の中心Ｃ１と第４サブピクセル１１４の中心Ｃ４の連結線は、長さが第１線分ＬＳ１の長さよりも小さい第２線分ＬＳ２である。たとえば、ピクセルを緊密に配列するという良好な効果を達成するために、第２線分ＬＳ２と第１線分ＬＳ１の長さの比は３／４以下である。
【００３２】
本開示の少なくとも１つの実施例に係るピクセル配列構造によれば、同じピクセルグループにおける第１サブピクセルと第４サブピクセルとの間の距離が短くなり、それにより、一方では、ピクセルの配列をより緊密にして、混色のリスクを低減させ、色滲みを改善して、視覚的な粒状感を改善することができる。他方では、サブピクセル間の間隔を大きくして、製造を容易にすることができる。又は、ピクセル配列の緊密さとサブピクセル間の間隔を同時に考慮し、両者の間のバランスを取り、ピクセル配列を緊密にすると同時にサブピクセル間の間隔（ピクセル定義層の間隔）を一定の程度で大きくし、それにより、混色のリスクを低減させ、色滲みを改善して、視覚的な粒状感を改善する効果、及びサブピクセル間の間隔を大きくする効果を同時に達成する。
【００３３】
たとえば、本開示の実施例で与えられる各サブピクセルの形状はピクセル定義層によって定義されてもよいが、これに限定されない。たとえば、図面における各サブピクセルは実際の発光領域である。各サブピクセルの具体的な形状は製造プロセスに応じて設置できる。たとえば、この実際の発光領域は、電極、発光層、ピクセル定義層の少なくとも１つの形状によって決定されてもよい。たとえば、このピクセル配列構造がＯＬＥＤ表示基板に使用され、第１サブピクセルと第４サブピクセルが同じ色である場合、同じピクセルグループにおける第１サブピクセルと第４サブピクセルの発光層パターンは、マスクの同じ開口を介して蒸着によって形成されてもよい。
【００３４】
たとえば、第１サブピクセル１１１と第４サブピクセル１１４は、緑色サブピクセル、黄色サブピクセル、白色サブピクセルなどの人間の目にとって敏感な色のサブピクセルであってもよい。たとえば、第２サブピクセル１１２と第３サブピクセル１１３に比べて、第１サブピクセル１１１と第４サブピクセル１１４の面積は小さい。たとえば、第１サブピクセル１１１の面積は第２サブピクセル１１２よりも小さく、及び／又は、第１サブピクセル１１１の面積は第３サブピクセル１１３の面積よりも小さい。同様に、第４サブピクセル１１４は第１サブピクセル１１１の面積についての上記説明を参照できる。すなわち、第４サブピクセル１１４の面積は第２サブピクセル１１２よりも小さく、及び／又は、第４サブピクセル１１４の面積は第３サブピクセル１１３の面積よりも小さい。
【００３５】
本開示の少なくとも１つの実施例に係るピクセル配列構造によれば、視覚的位置での敏感な色のサブピクセルの間隔を調節することにより、敏感な色のサブピクセルの分布均一性を改善することができ、それにより、該ピクセル配列構造の視覚的な解像度を高め、表示品質を向上させることができる。
【００３６】
第２サブピクセル１１２と第３サブピクセル１１３は、人間の目に鈍感な色のサブピクセルであってもよい。たとえば、第２サブピクセル１１２と第３サブピクセル１１３のうちの一方は赤色サブピクセルであり、他方は青色サブピクセルであってもよいが、これに限定されない。本開示の実施例では、第２サブピクセル１１２が赤色サブピクセルであり、第３サブピクセル１１３が青色サブピクセルである場合を例として説明する。ただし、ピクセル配列構造が赤緑青（ＲＧＢ）モードを使用する場合、上記人間の目にとって敏感な色は緑色であってもよい。
【００３７】
図２に示すように、第１線分ＬＳ１は第１方向Ｘに延設され、第２線分ＬＳ２は第２方向Ｙに延設される。たとえば、第１方向Ｘは第２方向Ｙに垂直である。たとえば、各ピクセルグループ０１において、第１サブピクセル１１１と第４サブピクセル１１４は第１方向Ｘを対称軸として配列されることで、ピクセル構造の配置をより均等にする。たとえば、第１サブピクセル１１１は、第２サブピクセル１１２及び第３サブピクセル１１３に対して均等に配列され、一致性を保持し、それにより、ピクセル構造の配置をより均等にする。
【００３８】
図２に示すように、本開示の１つ又は複数の実施例に係るピクセル配列構造によれば、第２線分ＬＳ２は第１線分ＬＳ１に垂直である。それにより、ピクセル配列はより均等になる。たとえば、第２線分ＬＳ２が第１線分ＬＳ１の垂直二等分線にある場合、第１方向Ｘでの各色のサブピクセルの幅が全て同じであってもよいが、これに限定されない。それにより、ピクセル構造の分布がより均等になり、画面表示品質がより高くなり、低いＰＰＩでの表示粒状感の問題が改善される。
【００３９】
図２に示すように、説明を容易にするために、複数の正方形の点線枠が示され、各点線枠の長さが１／２Ｌであり、４つの点線枠が辺長Ｌの正方形を形成することができる。図２における暗い長方形の点線枠内のものは、ピクセルグループ０１である。該ピクセルグループ０１は、該ピクセル配列構造の最小の繰り返し単位であってもよい。たとえば、ピクセル配列構造は、最小の繰り返し単位を平行に移動してコピーすることにより得られ得る。たとえば、最小の繰り返し単位内には、水平に移動して繰り返すことによって配列されピクセル構造を形成し得るサブユニットが含まない。
【００４０】
図２に示すように、第１線分ＳＬ１は第２線分ＳＬ２に垂直であり、且つ互いに垂直に二等分する。第１線分ＳＬ１は第２線分ＳＬ２を垂直に二等分する。第２線分ＳＬ２も第１線分ＳＬ１を垂直に二等分する。たとえば、ピクセルグループ０１において、第１サブピクセル１１１、第２サブピクセル１１２、第４サブピクセル１１４、及び第３サブピクセル１１３の中心の連結線で囲まれた最大の領域が菱形であり、第１線分ＳＬ１と第２線分ＳＬ２はそれぞれ該菱形の対角線である。
【００４１】
図２に示すように、ピクセルグループ０１において、第１サブピクセル１１１の中心Ｃ１と第４サブピクセル１１４の中心Ｃ４との間の距離が１／２Ｌ以上であってもよく、たとえば、該距離の範囲は１／２Ｌ〜Ｌであってもよい。たとえば、第１サブピクセル１１１と第４サブピクセルは、同じ色のサブピクセルを採用してもよい。第１サブピクセル１１１と第４サブピクセルは、いずれも第１サブピクセル１１１などの同じ色のサブピクセルを採用する場合、該距離の設定は、隣接する第１サブピクセルの距離が近いので、隣接する２つの第１サブピクセルの区別が困難であり、人間の目で視覚的に一体化するという状況の発生を回避することができ、さらに生じた粒状感を回避することができる。そのため、該ピクセル配列構造は、第１サブピクセルの分布均一性を改善することができ、それにより視覚的な解像度を高めることができ、さらに表示品質を向上させることができる。
【００４２】
図２に示すように、第３サブピクセル１１３の中心Ｃ３と第２サブピクセル１１２の中心Ｃ２との間の距離は４／３Ｌであってもよい。第２線分ＬＳ２と第１線分ＬＳ１の長さの比を３／４以下にするために、プロセスによって許可される条件において、同じピクセルグループにおける第３サブピクセル１１３と第２サブピクセル１１２との間の距離を大きくし、及び／又は、第１サブピクセル１１１と第４サブピクセル１１４との間の距離を減少することができる。
【００４３】
図２に示すように、本開示の１つ又は複数の実施例に係るピクセル配列構造によれば、緊密に配列されたピクセル構造を取得するために、第２線分ＬＳ２と第１線分ＬＳ１の長さの比は３／８以上であってもよい。
【００４４】
たとえば、図２に示すように、１つのピクセルグループにおいて、第１サブピクセル１１１と第２サブピクセル１１２は、色が異なるサブピクセルであり、ピクセルＰを形成し、第３サブピクセル１１３と第４サブピクセル１１４は、色が異なるサブピクセルであり、ピクセルＰを形成し、カラー表示するために周囲の他のピクセルのサブピクセルを利用する必要がある。たとえば、第１サブピクセル１１１と第４サブピクセル１１４は緑色サブピクセルであり、第２サブピクセル１１２は赤色サブピクセルであり、第３サブピクセル１１３は青色サブピクセルである。たとえば、赤色サブピクセルと緑色サブピクセルは１つのピクセルを形成し、青色サブピクセルと緑色サブピクセルは１つのピクセルを形成する。ここでのピクセルＰは、２色のサブピクセルのみを含み、カラー表示するために周囲の他のピクセルのサブピクセルを利用する必要がある。従って、ここで、ピクセルＰが仮想ピクセルと呼称されてもよい。
【００４５】
図３Ａは、図２に示される破線を除去したピクセル配列構造を示す。本開示の実施例に与えられる破線、中心等は、説明を容易にするために示される仮想線、仮想中心である。たとえば、中心は、重心、対向する辺の垂直二等分線の交点等であってもよいが、これに限定されない。
【００４６】
図３Ｂは本開示の１つの又は複数の実施例に係るピクセル配列構造を示す。同じピクセルグループ０１において、第１サブピクセル１１１と第４サブピクセル１１４は、いずれも第１サブピクセル１１１などの同じ色を採用する。同じ色のサブピクセルには混色の問題がないため、同じピクセルグループ０１における第１サブピクセル１１１と第４サブピクセル１１４の発光層パターンは、マスクの同じ開口を介して蒸着されてもよく、それにより、マスクのネッティングを容易にし、ネッティング圧力を小さくし、ネッティングの品質を向上させる。
【００４７】
図３Ｂに示すように、同じ行の第１サブピクセル１１１の傾きが低いため、同じ行に属する第１サブピクセル１１１が一緒に直線を表示するとき、傾きが低く（図３Ｂにおける密な点線）、隣接するピクセルグループの第１サブピクセルの変動幅が小さいので、変動幅が大きいことによって隣接する行で表示される直線と互いに噛み合って、２本の直線の区別が困難であり、人間の目で視覚的に一体化するという状況の発生を回避することができる。それにより、該ピクセル配列構造は視覚的な解像度を高めることができる。
【００４８】
図３Ｃは本開示の１つ又は複数の実施例に係るピクセル配列構造を示す。図３Ｃに示すように、各ピクセルグループ０１において、第１サブピクセル１１１と第４サブピクセル１１４は同じ色のサブピクセルであり、たとえば、２種類のピクセルグループを含んでもよく、一種類のピクセルグループにおけるペアになる同じ色のサブピクセルは第１サブピクセル（たとえば、緑色サブピクセル）であり、もう一種類のピクセルグループにおけるペアになる同じ色のサブピクセルは第４サブピクセル（たとえば、白色サブピクセル又は黄色サブピクセル）である。各ピクセルグループの対角線方向の隣接するピクセルグループにおける第２サブピクセルと第３サブピクセルとの間に位置してペアとして設置された２つのサブピクセルの色は、該ピクセルグループにおける第２サブピクセルと第３サブピクセルとの間に位置してペアとして設置されたサブピクセルの色と異なる。
【００４９】
図４は本開示の１つ又は複数の実施例に係るピクセル配列構造を示し、図４に示すように、第１線分ＬＳ１は第１方向Ｘに延設され、第１方向Ｘの隣接する２つのピクセルグループ０１における隣接する第２サブピクセル１１２と第３サブピクセル１１３との間の中心連結線ＬＳ３の長さＤ１は、第１線分ＬＳ１の長さよりも小さく、それによりピクセルが緊密に配列できる。図４において、第１線分ＬＳ１の長さが４／３Ｌである場合を例として説明したが、これに限定されない。たとえば、第１線分ＬＳ１の長さの範囲は１１／９Ｌ〜１３／９Ｌであってもよい。
【００５０】
たとえば、ピクセルを最大限に緊密に配列するために、プロセス条件により許可される場合、第１方向の隣接する２つのピクセルグループ０１における隣接する第２サブピクセル１１２の中心と第３サブピクセル１１３の中心との間の中心連結線ＬＳ３の長さＤ１は、第１線分ＬＳ１との比は、１／２以下である。図４において距離Ｄ１の長さが２／３Ｌである場合を例として説明したが、これに限定されない。たとえば、距離Ｄ１の長さの範囲は５／９Ｌ〜７／９Ｌであってもよい。
【００５１】
図４に示すように、本開示の１つ又は複数の実施例に係るピクセル配列構造によれば、複数のピクセルグループ０１はアレイ状に配列されて、複数の行と複数の列を含み、たとえば、奇数行にある複数の第１ピクセルグループ０１１と偶数行にある複数の第２ピクセルグループ０１２を含んでもよい。たとえば、偶数行のピクセルグループと奇数行のピクセルグループはずらして配置される。第２線分ＬＳ２は第２方向Ｙに延設される。たとえば、列方向のピクセルを緊密に配列するために、隣接する奇数行又は隣接する偶数行において、第２方向Ｙの隣接する２つのピクセルグループ０１における隣接する第１サブピクセル１１１と第４サブピクセル１１４の中心連結線Ｌ１４の長さＤ２は、第２線分ＬＳ２の長さよりも大きい。たとえば、隣接する奇数行又は隣接する偶数行において、第２方向Ｙの隣接する２つのピクセルグループ０１における隣接する第１サブピクセル１１１と第４サブピクセル１１４の中心連結線Ｌ１４の長さＤ２は、第２線分ＬＳ２の長さとの比は、１以上、３以下である。
【００５２】
たとえば、隣接する奇数行又は隣接する偶数行において、第２方向Ｙの隣接する２つのピクセルグループ０１における隣接する第１サブピクセル１１１と第４サブピクセル１１４の中心連結線Ｌ１４の長さＤ２は、第２線分ＬＳ２の長さよりも大きい。それにより、１つのピクセルグループの周囲に６つのピクセルグループが緊密に配列されたピクセル構造を形成することができる。奇数行のピクセルグループと偶数行のピクセルグループはずらして配置される。たとえば、第１方向Ｘにおいて、第１方向Ｘでのピクセルグループの半分の長さだけずれており、たとえば、ずれている長さはＬであるが、これに限定されない。たとえば、隣接する奇数行又は隣接する偶数行において、第２方向Ｙの隣接する２つのピクセルグループ０１における隣接する第１サブピクセル１１１と第４サブピクセル１１４の中心連結線Ｌ１４の長さＤ２は、第２線分ＬＳ２の長さとの比は、１以上、３以下である。
【００５３】
図４に示すように、本開示の１つ又は複数の実施例に係るピクセル配列構造によれば、各ピクセルグループ０１の第２線分ＬＳ２の延長線は、第２方向Ｙにおいて該ピクセルグループ０１に隣接し且つ同じ行にある２つのピクセルグループ０１の中心連結線ＬＳＣの中点Ｃ０を通る。各ピクセルグループ０１の中心はＣ１であり、隣接する２つのピクセルグループ０１の中心Ｃ１の連結線は中心連結線ＬＳＣである。たとえば、ピクセルグループ０１の中心Ｃ１は、第１線分ＬＳ１と第２線分ＬＳ２の交点であってもよい。
【００５４】
たとえば、各第１ピクセルグループ０１１の第２線分ＬＳ２の延長線は、該第１ピクセルグループ０１１に隣接し且つ同じ行にある２つの第２ピクセルグループ０１２の隣接する第３サブピクセル１１３と第２サブピクセル１１２の中心連結線ＬＳ３の中心Ｃ５を通る。たとえば、中心Ｃ５と中心Ｃ０は同じ点であってもよい。
【００５５】
図４に示すように、本開示の１つ又は複数の実施例に係るピクセル配列構造によれば、隣接する奇数行又は隣接する偶数行において、第２方向Ｙに配列された隣接する２つのピクセルグループ０１（隣接する２つの第１ピクセルグループ０１１又は隣接する２つの第２ピクセルグループ０１２）における２つの第３サブピクセル１１３の中心連結線ＬＳ４と、該２つの第３サブピクセル１１３の間に位置するピクセルグループ０１における第１線分ＬＳ１との交点ＩＰ１は、該第１線分ＬＳ１の中心ＩＰ０と第２サブピクセル１１２の中心Ｃ２との間に位置する。たとえば、第１線分ＬＳ１の中心ＩＰ０は該ピクセルグループ０１の中心Ｃ１であってもよい。たとえば、交点ＩＰ１は、第１線分ＬＳ１の中心ＩＰ０と第２サブピクセル１１２の中心Ｃ２の連結線の中点に位置する。
【００５６】
たとえば、隣接する奇数行において、同じ列にある隣接する第１ピクセルグループ０１１の２つの第３サブピクセル１１３の中心連結線ＬＳ４と、該第３サブピクセル１１３に隣接する第２ピクセルグループ０１２の第１線分ＬＳ１との交点ＩＰ１は、該第２ピクセルグループ０１２の第１線分ＬＳ１と第２線分ＬＳ２の交点ＩＰ０と第２サブピクセル１１２の中心Ｃ２との間に位置する。上記説明における第３サブピクセル１１３を第２サブピクセル１１２に置き換えることもできる。
【００５７】
たとえば、隣接する奇数行又は隣接する偶数行において、第２方向Ｙに配列された隣接する２つのピクセルグループ０１（隣接する２つの第１ピクセルグループ０１１又は隣接する２つの第２ピクセルグループ０１２）における２つの第２サブピクセル１１２の中心連結線と、該２つの第２サブピクセル１１２の間に位置するピクセルグループ０１における第１線分ＬＳ１との交点は、該第１線分ＬＳ１の中心ＩＰ０と第３サブピクセル１１３の中心Ｃ３との間に位置する。たとえば、該交点は、第１線分ＬＳ１の中心ＩＰ０と第３サブピクセル１１３の中心Ｃ３の連結線の中点に位置する。
【００５８】
図４に示すように、本開示の１つ又は複数の実施例に係るピクセル配列構造によれば、同じピクセルグループにおいて、第２サブピクセル１１２と第１サブピクセル１１１との間の最も近い距離はＬ１であり、第２サブピクセル１１２と第１サブピクセル１１１との間の最も近い距離はＬ１であり、第３サブピクセル１１３と第１サブピクセル１１１との間の最も近い距離はＬ３であり、第３サブピクセル１１３と第４サブピクセル１１４との間の最も近い距離はＬ４であり、Ｌ１＝Ｌ２＝Ｌ３＝Ｌ４である。
【００５９】
図４に示すように、本開示の１つ又は複数の実施例に係るピクセル配列構造によれば、第１サブピクセル１１１又は第４サブピクセル１１４は、第２方向においてそれに隣接し且つ同じ行に位置しないピクセルグループにおける第２サブピクセル１１２及び第３サブピクセル１１３との最も近い距離は、それぞれＬ５及びＬ６であり、Ｌ５＝Ｌ６である。
【００６０】
たとえば、一実施例では、Ｌ１＝Ｌ２＝Ｌ３＝Ｌ４＝Ｌ５＝Ｌ６である。
【００６１】
たとえば、Ｌ１、Ｌ２、Ｌ３、Ｌ４、Ｌ５及びＬ６については、図７Ａ及び７Ｂにおける最小プロセス間隔ｄに関する注釈を参照することができる。各最も近い距離は２つのサブピクセルの間の最小距離である。たとえば、実際に製造するとき、Ｌ１、Ｌ２、Ｌ３、Ｌ４、Ｌ５及びＬ６を最小プロセス間隔ｄに最大限に近づけることができる。
【００６２】
図４に示すように、本開示の１つ又は複数の実施例に係るピクセル配列構造によれば、隣接するサブピクセルにおいて、各対向する辺はほぼ平行であり又は夾角が４５°より小さく、隣接するサブピクセルは、第１サブピクセル１１１、第２サブピクセル１１２、第３サブピクセル１１３、及び第４サブピクセル１１４のうちの任意の隣接する２つを含む。
【００６３】
図５Ａに示すように、本開示の１つ又は複数の実施例に係るピクセル配列構造によれば、第１サブピクセル１１１と第４サブピクセル１１４はいずれも長尺状であり、第１サブピクセル１１１の延設方向Ａ１は第４サブピクセル１１４の延設方向Ａ２と重ならない。たとえば、第１サブピクセル１１１の延設方向Ａ１は第４サブピクセル１１４の延設方向Ａ２と交差し又は夾角を有する。たとえば、各ピクセルグループにおいて、第１サブピクセル１１１と第４サブピクセル１１４は第１方向Ｘを対称軸として配列され、一定の角度で傾斜する。たとえば、傾斜角度と第１方向Ｘの夾角の範囲は３０°〜５０°であり、さらに、たとえば、夾角は４５°であるが、これに限定されない。たとえば、第１サブピクセル１１１の延設方向Ａ１は第１サブピクセル１１１の長軸方向であってもよいが、これに限定されない。たとえば、第４サブピクセル１１４の延設方向Ａ２は第４サブピクセル１１４の長軸方向であってもよいが、これに限定されない。
【００６４】
図５Ａに示すように、本開示の１つ又は複数の実施例に係るピクセル配列構造によれば、各ピクセルグループ０１において、第１サブピクセル１１１と第４サブピクセル１１４は、第１線分ＬＳ１に対して対称的に配列される。たとえば、各ピクセルグループ０１において、第１サブピクセル１１１と第４サブピクセル１１４は、第２線分ＬＳ２に対して非対称的に配列される。
【００６５】
たとえば、第２サブピクセル１１２と第３サブピクセル１１３は、第２線分ＬＳ２に対して対称的に配列されるが、これに限定されない。
【００６６】
たとえば、本開示の実施例では、長尺状とは、一方の方向での長さが他方の方向での長さよりも大きく、又は、一方の方向でのサイズが他方の方向のサイズよりも大きいことを意味する。長尺状は、長方形に限定されず、他の形状、たとえば、長い六角形、長い楕円形、台形などの形状であってもよい。本開示の実施例では、各サブピクセルの形状は規則的な形状に限定されず、不規則な形状であってもよい。
【００６７】
たとえば、第１サブピクセル１１１の延設方向Ａ１と第４サブピクセル１１４の延設方向Ａ２との夾角は７０°〜１００°であり、さらに、夾角は８０°〜９５°であってもよく、さらに、夾角は９０°（直角）であってもよく、それにより、第１サブピクセル１１１と第４サブピクセル１１４をより大きい面積で形成することにより、出光面積を増加して、発光層パターンを製造するためのマスクの製造中のネッティングを容易にすることができる。たとえば、直角である場合に、上下に数度のずれが許可される。たとえば、９０°から上下に５°のすれを有してもよい。
【００６８】
図５Ｂは本開示の１つ又は複数の実施例に係るピクセル配列構造を示し、第１サブピクセル１１１の延設方向Ａ１と第４サブピクセル１１４の延設方向Ａ２の夾角は直角であり、且つ、同じピクセルグループ０１において、第１サブピクセル１１１と第４サブピクセル１１４は同じ色のサブピクセルである。
【００６９】
図６は本開示の１つ又は複数の実施例に係るピクセル配列構造を示し、図６に示すように、第２サブピクセル１１２と第３サブピクセル１１３は、菱形又はほぼ菱形の形状であってもよい。ほぼ菱形は、たとえば、角丸菱形、面取りされた菱形等を含むが、これに限定されない。サブピクセルの菱形又はほぼ菱形の形状はピクセルの緊密な配列に対してより有利である。たとえば、第１サブピクセル１１１は、第３サブピクセル１１３と第２サブピクセル１１２の周囲に対称的に囲まれることができ、第１サブピクセル１１１の長辺はいずれも第２サブピクセル１１２に向かい、短辺はいずれも第３サブピクセル１１３に向かい、それにより、ピクセル配列の均一性を最大限に確保する。第１サブピクセル１１１の配列がより均等になり、一定の程度で色滲みが改善され、高ＰＰＩの実現に有利であり、ピクセルの開口率が最大限に高まる。
【００７０】
各サブピクセルの形状は前記のものに限定せず、需要に応じて調整することができる。面積の最大化は、サブピクセルの形状を決定するときの主な原則である。
【００７１】
混色を回避するために、異なる色のサブピクセルの間隔は、パターニングプロセスの最小プロセス間隔ｄよりも大きなければならず、ある特別のプロセスの対称性要求、たとえば、ＦＭＭネッティングでは、穴開けパターン及び分布の対称性が望ましいことを考慮すると、第１サブピクセルと第４サブピクセルの形状は、それぞれ底角が直角である対称的な五角形であってもよい（図２を参照）。これでわかるように、対称的な形状のサブピクセルの隣接するピクセルグループ間の第２、第３サブピクセルの間隔は、他の異なる色のサブピクセルの間隔（最小プロセス間隔ｄ）よりも顕著に大きく、すなわち、設計には利用可能な面積がある。ＦＭＭネッティング技術には対称性に敏感でない（ＣＦなど）他のプロセスが許可又は採用される場合、非対称的なサブピクセルの形状を採用してサブピクセル面積の最大化を実現することができる。
【００７２】
図７Ａ及び図７Ｂは本開示の１つ又は複数の実施例に係るピクセル配列構造を示す。図７Ａ及び図７Ｂに示すように、非対称的なサブピクセルの形状の採用が許可される条件において、パターニングプロセスの最小プロセス間隔ｄによって、第２サブピクセル１１２と第３サブピクセル１１３の形状は、直角台形又は鋭角が切り取られた直角台形であってもよく、それにより面積を最大化する。
【００７３】
図７Ａに示すように、第２サブピクセル１１２と第３サブピクセル１１３の形状はいずれも直角台形であるため、第２サブピクセル１１２と第３サブピクセル１１３の形状がいずれも六角形である（底角が直角である２つの対称的な五角形を組み合わせた六角形を形成する）場合に対して、第２サブピクセル１１２と第３サブピクセル１１３の鋭角部１９０は、第２サブピクセル１１２と第３サブピクセル１１３の面積をさらに増加することができ、それにより、ピクセルグループ内の空間利用率をさらに向上させる。該ピクセル配列構造は、ピクセルグループ内の空間利用率を向上させることができる。
【００７４】
図７Ｂに示すように、第２サブピクセル１１２と第３サブピクセル１１３の形状は、いずれも鋭角が切り取られた二等辺台形である。それにより、プロセス精度が一定である場合に、つまり、第１サブピクセル１１１と第２サブピクセル１１２及び第３サブピクセル１１３との距離が一定である場合、第２サブピクセル１１２と第３サブピクセル１１３の面積が増加され、ピクセルグループ内の空間利用率が高まる。
【００７５】
本開示の１つ又は複数の実施例に係るピクセル配列構造によれば、第２サブピクセル１１２と第３サブピクセル１１３の形状は、二等辺台形、六角形、菱形の少なくとも１つを含み、第２サブピクセル１１２は、五角形、長方形、ほぼ長方形の少なくとも１つを含む。ほぼ長方形は、たとえば、角丸長方形を含むが、これに限定されない。
【００７６】
本開示の少なくとも１つの実施例は、上記任意のピクセル配列構造を備える表示基板を提供する。
【００７７】
図８は本開示の１つ又は複数の実施例に係る表示基板を示す。図８に示すように、同じ行のピクセルグループにおいて、第３サブピクセル１１３と第１サブピクセル１１１は、第１駆動線ＤＬ１によって駆動されてもよく、第２サブピクセル１１２と第４サブピクセル１１４は第２駆動線ＤＬ２によって駆動されてもよい。第１駆動線ＤＬ１はＥ１方向に沿って延設され、第２駆動線ＤＬ２はＥ１方向に沿って延設される。たとえば、Ｅ１方向は第１方向Ｘに平行である。
【００７８】
図８に示すように、奇数列のピクセルグループにおける第１サブピクセル１１１と第４サブピクセル１１４は、第１データ線ＤＴ１を介してデータ信号を入力し、隣接する２本の第１データ線ＤＴ１の間に位置する第２サブピクセル１１２と第３サブピクセル１１３は、第２データ線ＤＴ２を介してデータ信号を入力する。たとえば、データ信号は、電圧及び／又は電流を含む。第１データ線ＤＴ１はＥ２方向に沿って延設され、第２データ線ＤＴ２もＥ２方向に沿って延設され、Ｅ２方向は第２方向Ｙに平行である。
【００７９】
たとえば、１つのピクセルユニットグループは２つのピクセルユニットを含み、たとえば、第１サブピクセル１１１と第２サブピクセル１１２は１つのピクセルユニットを形成し、第３サブピクセル１１３と第４サブピクセル１１４は別のピクセルユニットを形成する。各ピクセルユニットは、それに隣接する第３サブピクセル１１１又は第４サブピクセル１１４を共有することで、仮想ピクセルを形成することができる。サブピクセルを共有する方式により表示を実現する。
【００８０】
図９は本開示の一実施例に係る表示基板の断面図である。図９に示すように、該構造は、ベース基板１００１と、ベース基板１００１に順に配置される緩衝層００２、第１ゲート絶縁層００３、第２ゲート絶縁層００４、層間誘電体層００５、平坦化層００６及びピクセル画定層００７と、を備える。図９からわかるように、サブピクセルの下方には、ゲート３０２、活性層３０１、及びドレイン３０３を備える薄膜トランジスタ構造がある。該薄膜トランジスタは、ピクセル駆動回路における１つの薄膜トランジスタであってもよく、該薄膜トランジスタと他の部材との接続関係は、具体的なピクセル回路の設置に応じて設置されてもよく、ここで詳細な説明を省略する。また、ドレイン３０３と同じ層の位置には、信号線３０４が含まれてもよく、該信号線３０４は、ピクセル回路の設置に応じて、データ線又はゲート線などの特定の機能を持つ信号線として使用されてもよい。図９からわかるように、ピクセル画定層００７は、サブピクセルを画定するための開口を含んでもよい。サブピクセルの陽極４０３と第３サブピクセルの発光層５０３は、ピクセル画定層００７の開口に位置する。なお、表示基板の構造は、図９に限定されない。
【００８１】
たとえば、陽極４０３と発光層５０３は互いに接触し、それにより、互いに接触する部分は発光層を発光駆動することができ、従って、陽極４０３と発光層５０３の互いに接触する部分は、サブピクセルの発光可能な有効部分である。ここで、陽極４０３がピクセル電極として使用され、それにより、異なるサブピクセルに異なるデータ電圧を印加することができる。しかし、本開示の実施例では、サブピクセルのピクセル電極として使用される電極が陽極に限定されず、発光ダイオードの陰極をピクセル電極として使用してもよい。たとえば、本開示の実施例では、サブピクセルの形状は、ピクセル電極と発光層が互いに接触する部分の形状であってもよい。たとえば、各サブピクセルに対して、ピクセル電極の面積が発光層の面積よりもわずかに大きくてもよく、又は発光層の面積がピクセル電極の面積よりもわずかに大きくてもよく、本開示の実施例は、これを特に限定しない。たとえば、ここでの発光層は、電界発光層と、正孔注入層、正孔輸送層、電子注入層及び電子輸送層等の電界発光層の両側に位置する他の機能層とを備えてもよい。いくつかの実施例では、ピクセルの形状もピクセル画定層によって定義されてもよい。たとえば、発光ダイオードの下部電極（たとえば、陽極）がピクセル画定層の下方に設置されてもよく、ピクセル画定層はピクセルを画定するための開口を備え、該開口は下部電極の一部を露出させ、発光層が上記ピクセル画定層の開口に形成されたとき、発光層は下部電極に接触し、それにより、この部分で発光層を発光駆動することができる。従って、この場合に、ピクセル画定層の開口はサブピクセルの形状を定義する。
【００８２】
たとえば、ピクセル回路は、ゲート、活性層、及びソース・ドレインを有する少なくとも１つのトランジスタを備える。一例では、信号線は、その下方の絶縁層を貫通するビアを介して対応するトランジスタのソース又はドレインに電気的に接続される。一例では、トランジスタの活性層はポリシリコン層によって形成され、活性層のチャネル領域の両側に、ポリシリコン層が導体化されてソース・ドレインを形成する。たとえば、前記信号線は、ビアを介して、導体化されてなるポリシリコンソース又はドレインに電気的に接続される。たとえば、トランジスタはトップゲートトランジスタであり、前記信号線を対応するトランジスタのソース又はドレインに電気的に接続するためのビアは、ゲート金属層とデータ金属層を貫通し、且つ前記ゲート金属層とデータ金属層の金属パターンの一部は、ビアを介する電気的接続の中継コネクタとして使用されてもよいが、本開示の実施例はこれに限定されない。
【００８３】
たとえば、本開示の実施例に説明された各種のサブピクセルの形状については、いずれもおおよその形状であり、発光層又は各種の電極層を形成するときに、サブピクセルの縁部が厳密に直線であり、角が厳密に角状であることを確保することができない。たとえば、発光層はマスクによって蒸着プロセスで形成されてもよいので、その角部が角丸形状であってもよい。ある場合に、メタルエッチングでは抜き勾配を有し、従って、蒸着プロセスでサブピクセルの発光層を形成するとき、発光層の一角部が除去される可能性がある。
【００８４】
たとえば、サブピクセルの形状は、ベース基板１でのサブピクセルの正投影の形状である。
【００８５】
本開示の少なくとも１つの実施例は、上記任意の表示基板を備える表示装置を提供する。従って、該表示装置の解像度を高めることができ、さらに、真の高解像度を有する表示装置を提供することができる。そして、該ピクセル配列構造の対称性がより良好であるため、該表示装置の表示効果は良好である。
【００８６】
たとえば、いくつかの例では、該表示装置は、スマートフォン、タブレットコンピュータ、テレビ、ディスプレイ、ノートパソコン、デジタルフォトフレーム、ナビゲータ等の表示機能を持つ任意の製品又は部材であってもよい。
【００８７】
なお、以下の点について説明する。
（１）本開示の実施例の図面は本開示の実施例に関する構造のみを示しており、ほかの構造は通常の設計を参照すればよい。
（２）矛盾しない限り、本開示の同じ実施例及び異なる実施例における特徴を互いに組み合わせることができる。
【００８８】
以上は、本開示の具体的な実施形態に過ぎないが、本開示の保護範囲を限定するものではなく、当業者が本開示に係る技術範囲内を逸脱せずに容易に想到し得る変化や置換は、全て本開示の保護範囲に属する。従って、本開示の保護範囲は特許請求の範囲の保護範囲に準じるべきである。
【図１】
2021513670.tif 000003
【図２】
2021513670.tif 000004
【図３Ａ】
2021513670.tif 000005
【図３Ｂ】
2021513670.tif 000006
【図３Ｃ】
2021513670.tif 000007
【図４】
2021513670.tif 000008
【図５Ａ】
2021513670.tif 000009
【図５Ｂ】
2021513670.tif 000010
【図６】
2021513670.tif 000011
【図７Ａ】
2021513670.tif 000012
【図７Ｂ】
2021513670.tif 000013
【図８】
2021513670.tif 000014
【図９】
2021513670.tif 000015
【国際調査報告】
2021513670.tif 000016
2021513670.tif 000017
2021513670.tif 000018
2021513670.tif 000019
2021513670.tif 000020